(57)【要約】【課題】  ユーザーが使用した環境に近い眼鏡レンズ表面に異物が衝突して生じる衝撃傷を再現し、評価する眼鏡レンズの衝撃傷実験装置と、その評価方法を提供する。【解決手段】  レンズの衝撃傷実験装置１０は、被衝撃物である眼鏡レンズ２００と、衝撃物であるメディア３００と、が混在された状態で封入された筒状の回転容器５０と、回転容器５０に回転力を伝達する駆動モータ１３０と駆動シャフト１００と、従動シャフト１１０と、を備え、回転容器５０が回転することで、メディア３００が眼鏡レンズ２００に衝突してできるレンズ表面の衝撃傷を、ユーザーが通常使用環境で生じた衝撃傷に近い状態で再現する。【選択図】      図１
2005181533.tif 000002
【特許請求の範囲】
【請求項１】
被衝撃物であるレンズと、衝撃物であるメディアと、が混在された状態で封入された筒状の回転容器と、
前記回転容器に回転力を伝達する駆動機構と、を備え、
前記回転容器が回転することで、前記メディアが前記レンズに衝突してできるレンズ表面の衝撃傷を発生をさせることを特徴とするレンズの衝撃傷実験装置。
【請求項２】
請求項１に記載のレンズの衝撃傷実験装置において、
前記回転容器は、断面形状がｎ角形（ｎは整数）の筒部と、該筒部の両端に回転力を伝達する円盤状の回転伝達部と、が設けられ、
前記回転伝達部の一方は、前記筒部を密閉し、他方は開口されており、この開口部を封止する蓋部材を備えていることを特徴とするレンズの衝撃傷実験装置。
【請求項３】
請求項１または請求項２に記載のレンズの衝撃傷実験装置において、
前記開口された筒部と前記蓋部材との間にシール部材が備えられていることを特徴とするレンズの衝撃傷実験装置。
【請求項４】
請求項１ないし請求項３のいずれかに記載のレンズの衝撃傷実験装置において、
前記回転容器の筒部内周面が合成樹脂製のシートで覆われていることを特徴とするレンズの衝撃傷実験装置。
【請求項５】
請求項１ないし請求項４のいずれかに記載のレンズの衝撃傷実験装置において、
前記回転容器の筒部外周面が吸音性を有する外壁材で覆われていることを特徴とするレンズの衝撃傷実験装置。
【請求項６】
請求項１ないし請求項５のいずれかに記載のレンズの衝撃傷実験装置において、
前記筒部の断面形状が３〜８角形であることを特徴とするレンズの衝撃傷実験装置。
【請求項７】
請求項１ないし請求項６のいずれかに記載のレンズの衝撃傷実験装置において、
前記レンズは、前記筒部の内平面に前記レンズの非評価面が固着されていることを特徴とするレンズの衝撃傷実験装置。
【請求項８】
請求項１ないし請求項７のいずれかに記載のレンズの衝撃傷実験装置において、
前記メディアは、複数種類の材質と大きさのメディアから選択された複数種類のメディアが混在されて構成されていることを特徴とするレンズの衝撃傷実験装置。
【請求項９】
請求項１ないし請求項７のいずれかに記載のレンズの衝撃傷実験装置において、
前記駆動機構は、駆動モータと、該駆動モータに連動する駆動シャフトと、従動シャフトと、から構成され、
前記回転容器が、前記駆動シャフト及び前記従動シャフト上に複数、且つ、直列に備えられていることを特徴とするレンズの衝撃傷実験装置。
【請求項１０】
請求項１ないし請求項９のいずれかに記載のレンズの衝撃傷実験装置において、
前記回転伝達部の外周に着脱自在の回転リングを備え、
前記回転リングの外周径を変更することで、前記回転容器の回転速度を任意に変更することを特徴とするレンズの衝撃傷実験装置。
【請求項１１】
請求項１ないし請求項１０のいずれかに記載のレンズの衝撃傷実験装置において、
前記回転伝達部の外周面または伝達シャフトの外周面のうちの少なくとも一方の表面に弾性体の皮膜が設けられていることを特徴とするレンズの衝撃傷実験装置。
【請求項１２】
請求項１ないし請求項１１のいずれかに記載のレンズの衝撃傷実験装置において、
前記回転容器の回転速度が毎分３０回転から毎分１００回転の範囲で制御されていることを特徴とするレンズの衝撃傷実験装置。
【請求項１３】
請求項１ないし請求項１２のいずれかに記載のレンズの衝撃傷実験装置において、
前記蓋部材に、前記回転容器内を観察できる透明基材で覆われた窓が設けられていることを特徴とするレンズの衝撃傷実験装置。
【請求項１４】
請求項１ないし請求項１３のいずれかに記載のレンズの衝撃傷実験装置を用いて、
前記メディアの材質、大きさ、量を選択的に組み合わせるとともに、前記回転容器の回転速度を選択的に組み合わせて、前記レンズの評価面に衝撃傷を付け、その後、前記レンズの衝撃傷を評価することを特徴とするレンズの衝撃傷評価方法。
【発明の詳細な説明】
【技術分野】
【０００１】
本発明は、レンズ表面の衝撃傷実験装置及びその評価方法に関する。
【背景技術】
【０００２】
近来、眼鏡レンズは、ガラスレンズから、割れにくい、軽い、染色しやすいプラスチックレンズに替わりつつあるが、プラスチックレンズは、ガラスレンズに比べ表面に傷つきやすいと言われている。そこで、プラスチックレンズ表面に硬質の皮膜をコーティングする技術が開発されてきている。
【０００３】
この硬質の皮膜の耐擦傷性性能を評価する装置として、レンズを保持具に保持し、スチールウール等の擦傷物をレンズ表面に押し当てて、レンズと擦傷物とを相互に相対運動させて、その後のレンズ表面状態を評価するレンズの耐擦傷性評価実験装置と、その評価方法が知られている（例えば、特許文献１参照）。
【０００４】
【特許文献１】特開２００３−２９５１３１号公報（第３頁、図１）
【発明の開示】
【発明が解決しようとする課題】
【０００５】
このような特許文献１では、レンズ表面を異物で擦過した際の擦傷傷の評価はできるが、一般に、眼鏡等を使用するときに砂、金属等の小粒がレンズに衝突してできる衝突傷（打痕等）については評価できない。また、ユーザーが眼鏡を使用する環境は様々であり、製造現場で、このような傷の評価と、実験的にできる傷との相関評価が困難であるという課題がある。
【０００６】
本発明は、ユーザーが使用した時にレンズ表面に異物が衝突して生じる衝撃傷を再現するレンズの衝撃傷実験装置と、その評価方法を提供することである。
【課題を解決するための手段】
【０００７】
本発明のレンズの衝撃傷実験装置は、被衝撃物であるレンズと、衝撃物であるメディアと、が混在された状態で封入された筒状の回転容器と、前記回転容器に回転力を伝達する駆動機構と、を備え、前記回転容器が回転されることで、前記メディアが前記レンズに衝突してできるレンズ表面の衝撃傷を発生させることを特徴とするレンズの衝撃傷実験装置。
ここで、レンズとは、眼鏡のように身体に挿着して使用するレンズであり、また、衝撃物とは、ユーザーが日常生活環境で遭遇する砂等の異物を想定したメディアである。
【０００８】
上述のレンズの衝撃傷実験装置においては、レンズとメディアとを回転容器内に入れて、この回転容器を回転させるために、メディアがレンズ表面に衝突してレンズ表面に衝撃傷が発生する。この際、後述するメディアの種類、回転容器の形状、回転速度を調整することで、ユーザーが日常生活において、発生しやすい衝撃傷（打痕）を再現し、耐衝撃傷性を評価することができる。
【０００９】
ここで、前記回転容器は、断面形状がｎ角形（ｎは整数）の筒部と、該筒部の両端に回転力を伝達する円盤状の回転伝達部と、が設けられ、前記回転伝達部の一方は、前記筒部が密閉され、他方は開口されており、この開口部を封止する蓋部材を備えていることが好ましい。
【００１０】
このようにすれば、回転容器内において、前述したメディアが、回転容器内の平面部で上方に運ばれ落下するので、回転容器の回転数を一定にすれば、メディアがレンズ表面に衝突する速度が略一定になるため、レンズ表面に発生する衝撃傷も同じ条件下では、ほぼ同様に発生し、信頼性が高い実験装置を提供することができる。
【００１１】
また、前記レンズの衝撃傷実験装置は、前記開口された筒部と前記蓋部材との間にシール部材が備えられていることが好ましい。
ここで、シール部材は、前記筒部材を密閉するための部材であり、例えば、シートパッキンを採用できる。
【００１２】
このようにすれば、回転容器はシール部材で密閉されているので、回転容器内において、メディアがレンズ表面に衝突した際に発生するメディアやレンズの微粒子が回転容器外に放出されることを防止することができる。また、後述する回転容器内に設けられるシート部材と同様に、メディアが回転容器内壁に衝突してメディア自身が粉砕されてしまうことを防止することもできる。
【００１３】
この発明の構成では、前記回転容器の筒部内周面が合成樹脂製のシートで覆われていることが好ましい。
【００１４】
この発明によれば、回転容器は、例えば、ステンレス鋼のような金属が採用されることが多いが、メディアが回転容器内壁に衝突してメディア自身が粉砕されてしまうことを防止することができる。また、メディアが回転容器内壁に衝突する際に騒音が発生するが、このように、回転容器の内壁がシートで覆われているため、騒音防止の効果がある。
さらに、実験終了後の回転容器内の洗浄がし易いという効果もある。
【００１５】
本発明の構成では、前記回転容器の筒部外周面が吸音性を有する外壁材で覆われていることがより好ましい。
ここで吸音性を有する外壁とは、ウレタンフォームのような吸音効果がある発泡性材料が採用できる。
【００１６】
このような材料で、回転容器の筒部外周面が覆われているため、前述したようなメディアが回転容器内壁に衝突して発生する騒音を減ずることができる。
【００１７】
前述したような構成では、前記筒部の断面形状が３〜８角形であることが好ましい。
【００１８】
例えば、筒部の断面形状が円形の場合、メディアは内面を滑り易く、回転容器が回転しても上方に運ばれないため、レンズ表面に衝撃を与えることができない。そのため、筒部をこのような多角形にしておくことで、メディアは、筒部の内平面や平面接続部のコーナーによって上方に運ばれ、落下することでレンズにメディアを衝突させることができるのである。
【００１９】
また、前述したような構成では、前記レンズは、前記筒部の内面に非評価面が固着されていることが好ましい。
ここで、非評価面とは、例えば、レンズが眼鏡レンズ等の場合、ユーザーが装着したときに眼球側の面を示し、外側の衝撃傷を評価する側を評価面とする。
【００２０】
金属部品とメディアを筒状容器に入れて研磨をする装置が一般に知られているが、このような場合、金属部品は、メディアと衝突することで研磨が行われるが、金属部品同士も衝突する。従って、本発明では、レンズは筒部の内平面に非評価面が固着されているため、純粋にメディアとの衝突による衝撃傷の評価ができる。
さらに、前述したように、筒部は多角形で構成されているため、レンズは、この多角形の平面部に固着されているため、固着された姿勢が一定になり、メディアの衝突方向が安定し、正確な衝突傷の評価を行うことができる。
【００２１】
本発明によれば、前記メディアは、複数種類の材質と大きさのメディアから選択された複数のメディアが混在されて構成されていることが望ましい。
ここで、メディアの種類としては、特に限定されるものではないが、サンドペーパ片、木片、ガラス片、アルミナ微粒子、プラスチック片、金属片等が考えられる。
【００２２】
このような構成によれば、上記の複数種類の材質、大きさのメディアを混在して回転容器内に入れて実験を行えば、それぞれ単独に実験を行うより、早く、ユーザーの使用環境に近い環境に回転容器内に作り出すことができ、実験，評価のスピードアップをはかることができる。これらのメディアは、材質、大きさをレンズの表面硬度に合わせて任意に選択して組合せができる。
【００２３】
また、本発明によれば、前記駆動機構は、駆動モータと、該駆動モータに連動する駆動シャフトと、従動シャフトと、から構成され、前記回転容器が、前記駆動シャフト及び前記従動シャフト上に複数、且つ、直列に備えられることが望ましい。
【００２４】
このような構成では、回転容器内のレンズの種類、メディアの種類等が異なる複数の回転容器を同時に回転させることができ、複数種類の実験、評価を同時並行的に行うことができるので、実験、評価時間の短縮ができる。
さらに、後述するように、回転伝達部の直径を変えることができるため、上記の複数の異なる条件における実験の他に、回転容器の回転速度による比較実験を同時に行うことができる。
【００２５】
なお、前記衝撃傷実験装置は、前記回転伝達部の外周に着脱自在の回転リングを備え、前記回転リングの外周径を変更することで、前記回転容器の回転速度を任意に変更することが望ましい。
【００２６】
このような構成では、例えば、回転リングを着脱自在な構造にすることで、結果として回転伝達部の外周径を任意に変更することになる。駆動モータの回転速度を一定にした場合、回転伝達部の外周径を大きくすれば、回転容器の回転速度を遅くし、外周径を小さくした場合は、回転容器の回転速度を速くすることができる。
従って、着脱可能な回転リングの外周径を複数種類用意しておけば、回転容器の種類を少なくすることができるうえ、前述したように、回転速度の異なる実験、評価を同時並行的に行うことができるという効果がある。
【００２７】
前記回転伝達部の外周面または伝達シャフトの外周面のうちの少なくとも一方の表面に弾性体の皮膜が設けられていることが望ましい。
ここで、弾性体としては、ウレタン系ゴムやシリコン系ゴム等を採用できる。また、回転リングを採用する場合は、回転リングの外周面にこの弾性体の皮膜が設けられる。
【００２８】
前述のような構成では、回転伝達部及び伝達シャフトは構造的強度が要求されることから金属製である。従って、回転伝達部は伝達シャフトに接触して回転力が伝達されるので、回転時に騒音が発生することが考えられる他、金属同士の摩擦によっての回転力伝達であるため、接触面が滑ることが考えられる。
本発明では、回転伝達部の外周面、または伝達シャフトの外周面のどちらかに弾性体の皮膜が設けられているので、騒音を防止することができる他、接触面が滑って回転容器の回転速度が不安定になることを防止することができる。
なお、回転伝達部、伝達シャフトの両方に弾性体を皮膜を設けることもできる。
【００２９】
また、前述の構成においては、前記回転容器の回転速度が毎分３０回転から毎分１００回転の範囲で制御されていることが望ましい。
【００３０】
前述したような構成では、回転容器の回転速度が遅いと、ユーザーの使用環境の衝撃傷が得られない、速やすぎると衝撃傷が大きくなりすぎることが後述する実験結果から得られている。このことから、回転速度は、選択されたメディアの種類、レンズの表面硬度を考慮して、毎分３０回転から毎分１００回転の範囲で制御されることが、ユーザーの使用環境に近い衝撃傷を得ることができる。
【００３１】
さらに、本発明の構造では、前記蓋部材に、前記回転容器内を観察できる透明基材で覆われた窓が設けられていることが望ましい。
ここで、回転容器内を観察できる窓とは、部分的に設けられていても、蓋部材全体が透明であってもよい。
【００３２】
このようにしておけば、回転容器内のレンズや、メディアの挙動を観察しながら実験を行うことができるので、メディアがレンズに想定されたように衝突しているか評価しながら実験を行い、適正な条件設定を行うことができる。
【００３３】
本発明のレンズの評価方法は、前述したレンズの衝撃傷実験装置を用いて、前記メディアの材質、大きさ、量を選択的に組み合わせるとともに、前記回転容器の回転速度を選択的に組み合わせて、前記レンズの表面の衝撃傷を評価することを特徴とする。
【００３４】
本発明によれば、メディアの種類とこれらから選択された複数種類のメディアを組み合わせるとともに、回転容器の回転速度を任意に選択できるので、ユーザーが使用してできた衝撃傷と実験で得られた衝撃傷の比較が容易に行え、優れた耐衝撃傷性のレンズを開発、製造するために有効な評価方法である。
【発明を実施するための最良の形態】
【００３５】
以下、本発明の実施の形態を図面に基づいて説明する。
図１〜図５は本発明の実施形態の衝撃傷実験装置、表１は混合メディアの種類、表２は衝撃傷の評価ランクが示されている。
【実施例１】
【００３６】
図１、図２は実施例１のレンズの衝撃傷実験装置、図３には実験結果が示されている。
図１は、本実施例１の衝撃傷実験装置１０の正面図を示す。なお、図１では、回転容器５０は図２のＹ−Ｙ断面を示している。図２は、図１の矢印Ｘ方向から視認した側面図であり、容器蓋７０及びシール部材としてのシートパッキン６０を透視した状態を示しており、回転容器５０と伝達シャフト１００，１１０以外は省略している。図１及び図２において、レンズの衝撃傷実験装置１０は、基本構成要素として、駆動源としての駆動モータ１３０と、駆動モータ１３０からの回転力を伝達する駆動シャフト１００、回転可能に設けられた従動シャフト１１０と、非衝撃物としての試料である眼鏡レンズ２００及び衝撃物としてのメディア３００が混在されている回転容器５０とから構成されている。
【００３７】
駆動モータ１３０は、回転速度が自在に制御できるインバータ制御モータであり、駆動歯車１３１を備えている。駆動モータ１３０の回転が駆動シャフト１００に伝達される。駆動シャフト１００と従動シャフト１０に亘って回転容器５０が載置される。。駆動シャフト１００の駆動モータ１３０側端部には駆動歯車１３１と噛合する伝達歯車１０１が備えられている。
駆動モータの回転力は、駆動歯車１３１、伝達歯車１０１を介して駆動シャフト１００に伝達され、駆動シャフト１００上に載置された回転容器５０が回転される。
【００３８】
駆動シャフト１００と従動シャフト１１０は、鉄系合金またはステンレス鋼製で、外周径が同じ円柱であり、長さも略同じであり、それぞれ水平で平行である。この駆動シャフト１００と従動シャフト１１０とは、
両端部が、架台１２０に設けられた１対のシャフト支持部１２１に設けられた軸受１２２に軸止されている。また、駆動シャフト１００及び従動シャフト１１０の長手方向途中には、回転容器５０の長手方向の移動を規制するストッパー１２３が１対備えられている。このストッパー１２３の間に回転容器５０が載置される。
【００３９】
回転容器５０は、中央部が６角形の筒部５１と、一方の端部が円盤状の回転伝達部５２で閉鎖されている。他方の端部は開口されており外周部は回転伝達部５２と同じ直径の回転伝達部５３が設けられている。この回転伝達部５３の端部外側には、凹状の蓋装着部５４が形成されている。この蓋装着部５４内にシリコン系ゴム等で形成された外形が蓋装着部５４の凹部と略同じのシール部材としてのシートパッキン６０と、その外側に容器蓋７０が備えられ、シートパッキン６０を挟んで蝶螺子８０で筒部５１の端面に密閉固定されている。この蝶螺子８０は、図示していないが、６本が等間隔で螺合されている。
回転容器５０は、構造的強度や防錆の面からステンレス鋼が選択されている。
【００４０】
筒部５１の内面は、全面に内壁材としての繊維強化ビニール製のシート５５が接着剤等の固着手段で固着されている。このシート５５の材料は、繊維強化ビニールシートに限定されないが、耐荷重性、対磨耗性、吸音性能が優れた合成樹脂が選択されることが好ましい。
【００４１】
また、筒部５１の外周には、発泡ウレタンシートの外壁材５６が全周にわたって接着等の固着手段で固着されている。この外壁材５６の材料も発泡ウレタンシートに限定されるものではなく、吸音性が優れた材料から選択することができる。
【００４２】
回転容器５０の内部には眼鏡レンズ２００とメディア３００が入れられている。眼鏡レンズ２００は、ユーザーが装着した際に内側（眼球側）になる非評価面２００Ｂを、前述した筒部５１の内平面に両面粘着テープ等で固着される。従って、ユーザーが装着時に傷がつく確立が高い評価面２００Ａが筒部５１の内側になる。眼鏡レンズ２００は、図示したように筒部５１の内平面１箇所に固着してもよいが、全面に必要とされる数を固着することは任意に選択することができる。
【００４３】
メディア３００は、後述する実験の場合、詳しくは、表１に示すが、サンドペーパ片、木片、ガラス円盤、白色アルミナ粉、ＰＥＴ（Ｐｏｌｙｅｔｈｙｌｅｎｅ  Ｔｅｒｅｐｈｔｈａｌａｔｅ）板片、金属小螺子等が混在されている。これらのメディアも実験目的に合わせて、任意に選択して組み合わせ使用することができる。
【００４４】
前述したレンズの衝撃傷実験装置１０は、テーブル１４０に載置され、その周囲は、騒音防止及び安全確保のためのカバー１５０が備えられる。このカバー１５０は、金属製でもよいが、内部が視認できる透明材料で形成されることがより好ましい。
【００４５】
続いて、前述したレンズの衝撃傷実験装置１０を用いて実験した際のメディア３００の挙動について説明する。図１及び図２において、駆動モータ１３０が回転すると駆動シャフト１００、回転容器５０、従動シャフト１１０が、図中、矢印方向に回転される。メディア３００は、筒部５１の内部で混在されて、筒部５１の上方に運ばれ落下して眼鏡レンズ２００の表面（評価面２００Ａ）に衝突する。この時に、眼鏡レンズ２００の評価面２００Ａの表面に衝撃傷が付けられるのである。
【００４６】
次に、実験結果について説明する。表１は、メディア３００の混在された個々の材質、大きさ、量を示す。表２は、この実験の評価ランクを示している。
【００４７】
【表１】
2005181533.tif 000003
【００４８】
【表２】
2005181533.tif 000004
【００４９】
表２で示された評価ランクは、実験前の眼鏡レンズ２００の視感透過率測定値をＴｖ０とし、実験後の視感透過率測定値をＴｖ１としたときの差Ｔｖ＝Ｔｖ０−Ｔｖ１を段階毎にランク分して示したものである。この視感透過率測定値は、分光光度計で測定した。
【００５０】
実験条件としては、回転容器５０の筒部５１の内面の外接円の直径を２５ｃｍとし、毎分７０回転の回転スピードで６０分間回転した。なお、前述の実験条件は、各種の組み合わせで実験した結果、後述するように、ユーザーが通常の使用環境でできた眼鏡レンズ２００の表面傷とほぼ同じ傷がついた条件を見出した結果から選択された条件である。
【００５１】
また、眼鏡用のプラスチックレンズは、表面の傷防止のために硬質コーティングを施しているが、この硬質コーティングも１番〜５番の５種類あり、１番が最も硬度が低く、５番が最も硬度が高くなっている。従って、実験試料も１番〜５番の５種類使用した。
【００５２】
続いて、上述の条件で実験した結果を図３において説明する。
図３は、ユーザーが装着してできた傷を市場不良指数で表し、本実施例１による実験でできた傷の衝撃傷評価ランクの相関を示したグラフである。図３において、市場不良指数は、数字が大きいほど衝撃傷による市場不良が多く、従って、試料１番が最も高いので傷が多いことを示し、試料５番が最も傷が少ないことを示している。また、衝撃傷評価ランクは、試料１番の評価ランクが低く傷がつきやすいことを示し、試料５番の評価ランクが高く傷がつきにくいことを示している。
【００５３】
この実験結果では、市場不良指数と衝撃評価ランクとの相関がほぼとれており、この衝撃傷実験装置１０による実験評価によって、ユーザーの実使用状態を想定した実験、評価ができることを示している。
【００５４】
従って、前述した本実施例１では、眼鏡レンズ２００とメディア３００とを回転容器５０内に入れて、この回転容器５０を回転させるために、メディア３００が眼鏡レンズ２００の表面に衝突してレンズ表面に衝撃傷が発生する。この際、前述したメディア３００の種類、回転容器５０の形状、回転速度を調整することで、ユーザーが日常生活において、発生しやすい衝撃傷（打痕）を再現し、耐衝撃傷性を評価することができる。
【００５５】
また、実施例１では、筒部５１の断面形状は６角形としたが、筒部５１の断面形状が円形の場合、メディアは内面を滑り易く、回転容器５０が回転しても上方に運ばれないため、レンズ表面に衝撃を与えることができない。そのため、筒部５１を３〜８角形にしておくことで、メディアは、筒部の内平面や平面接続部のコーナーによって上方に運ばれ、落下することで眼鏡レンズ２００にメディア３００を衝突させることができるのである。
さらに、回転容器５０の回転速度を一定にすれば、メディア３００が眼鏡レンズ表面に衝突する速度が略一定になるため、眼鏡レンズ表面に発生する衝撃傷も同じ条件下では、ほぼ同様に発生し、信頼性が高い実験装置を提供することができる。
【００５６】
実施例１の構造では、回転容器５０はシートパッキン６０で密閉されているので、回転容器５０内において、メディア３００がレンズ表面に衝突した際に発生するメディア３００や眼鏡レンズ２００の微粒子が回転容器５０外に放出されることを防止することができる。
【００５７】
また、筒部５１の内周面が繊維強化ビニール製のシート５５で覆われているため、メディア３００が筒部５１の内壁に衝突してメディア自身が粉砕されてしまうことを防止することができる。また、メディア３００が筒部５１の内壁に衝突する際に騒音が発生するが、このように、筒部５１の内壁がシート５５で覆われているため、騒音防止の効果がある。
さらに、実験終了後の筒部５１内の洗浄がし易いという効果もある。
【００５８】
さらに、本実施例１では、筒部５１の外周面が吸音性の外壁材５６で覆われているため、前述したようなメディアが回転容器内壁に衝突して発生する騒音を減ずることができる。
【００５９】
また、眼鏡レンズ２００は、筒部５１の内面に非評価面（２００Ｂ）が固着されているので、純粋にメディア３００との衝突による衝撃傷の評価ができる。筒部５１は６角形で構成されているため、眼鏡レンズ２００は、この６角形の平面部に固着されているため、固着された姿勢が一定になり、メディア３００の衝突方向が安定し、より正確な衝突傷の評価を行うことができる。
【００６０】
さらに、前述の実施例１の構造では、メディア３００は、６種類の材質と大きさのメディアが混在されて構成されるため、メディア個々にそれぞれ単独に実験を行うより、早くユーザーの使用環境に近い環境に回転容器５０内に作り出すことができ、実験、評価のスピードアップをはかることができる。これらのメディア３００は、材質、大きさを眼鏡レンズ２００の硬質コーティングの硬度に合わせて任意に選択して組み合わせることができる。
【００６１】
なお、本実施例１では、回転容器５０の回転数は毎分７０回転で実験を行ったが、メディア３００が眼鏡レンズ２００に当たる角度や衝突するときの衝撃力が想定されるユーザーの使用環境に近い状態を得るためには、前述した条件の他に回転容器５０の回転速度が毎分３０回転〜１００回転の範囲が適切であるという実験結果が得られている。
【実施例２】
【００６２】
続いて、実施例２について図４を用いて説明する。
図４は、実施例２のレンズの衝撃傷実験装置の部分断面図を示す。実施例２は、前述した実施例１の技術思想を基礎に、回転伝達部５２の外周に着脱可能な回転リング７５を備えたもので、他の構造は実施例１（図１、図２参照）と同じであるため省略している。図４において、回転容器５０の回転伝達部５２の外周部には、回転リング７５が設けられている。
【００６３】
回転リング７５は、リング状に形成され、その内周は、回転伝達部５２の外周部に嵌挿され、厚みは、回転伝達部５２の厚みとほぼ同じか、わずかに大きめに設定されることが好ましい。回転リング７５の外周には、実施例２の場合は等間隔で６個の螺子貫通孔と固定螺子８５の頭部が外周より突出しない程度の凹部７６が穿たれている。そして、回転リング７５は回転伝達部５２に固定螺子８５によって固定される。回転伝達部５２とは反対方向にある回転伝達部５３にも、図示しないが同様にして回転リング７５が取り付けられる。
【００６４】
このようにして、回転リング７５が取り付けられることによって、回転伝達部の外周径を変更することができる。この回転リング７５の外周径は、複数種類用意しておくことで実験の目的によって任意に変更でき、このことは、回転容器５０の回転速度を回転リング７５の直径によって任意に変更できることを意味する。
【００６５】
従って、本実施例２によれば、駆動シャフト１００の回転速度を一定にした場合、回転リング７５の外周径を大きくすれば、回転容器５０の回転速度を遅くし、外周径を小さくした場合は、回転容器の回転速度を速くすることができる。このことから、着脱可能な回転リング７５の外周径を複数種類用意しておけば、回転容器５０の種類を少なくすることができるうえ、前述したように、回転速度の異なる実験、評価を同時並行的に行うことができるという効果がある。
【実施例３】
【００６６】
次に、本発明の衝撃傷実験装置１０の実施例３を図５を用いて説明する。
図５は、実施例３の衝撃傷実験装置１０の概念を示す正面図である。図５において、衝撃傷実験装置１０は、実施例１より長く形成された駆動シャフト１００、従動シャフト１１０の上部に３個の回転容器５０Ａ，５０Ｂ，５０Ｃが間隙を有して直列に載置されている。また、駆動シャフト１００及び従動シャフト１１０には、各回転容器の長手方向の位置を規制するためのストッパー１２３が設けられている。
【００６７】
回転容器５０Ａ，５０Ｂ，５０Ｃは、それぞれメディア３００の種類、眼鏡レンズ２００の硬質コートの種類、回転伝達部５２，５３の外周径（回転リング７５を採用する）が異なる。これらの組み合わせは実験の目的によって任意に選択して組み合わせることができる構成である。
なお、他の構造については、前述した実施例１、実施例２と同様にすることができるため、説明及び図示は省略する。
【００６８】
従って、前述した実施例３によれば、回転容器５０Ａ，５０Ｂ，５０Ｃ内の眼鏡レンズ２００の種類、メディア３００の種類等が異なる複数の回転容器を同時に回転させることができ、複数種類の実験、評価を同時並行的に行うことができるので、実験、評価時間の短縮ができる。
さらに、回転リング７５を嵌挿した場合、上記の複数の異なる条件における実験の他に、回転容器の回転速度による比較実験を同時に行うことができる。
【実施例４】
【００６９】
次に、本発明の実施例４について説明する。本実施例４は、図１、図２で説明できるので、図面は省略する。図１において、本実施例４では、容器蓋７０をガラス等の透明部材で形成されるところに特徴がある。このような場合、シートパッキン６０の形状は、回転伝達部５３に穿たれた蓋装着部５４の端面形状と略同じである。すなわち、筒部５１の内部形状と略同じ形状の孔が設けられているということである。
また、やはり図示しないが、容器蓋７０にガラス製の小窓を設けておくことができる。
【００７０】
従って、実施例４の構造によれば、筒部５１内の眼鏡レンズ２００や、メディア３００の挙動を観察しながら実験を行うことができるので、メディア３００が眼鏡レンズ２００に想定されたように衝突しているか評価しながら実験を行い、適正な条件設定を行うことができる。
【実施例５】
【００７１】
次に、本発明の実施例５について説明する。図は省略するが、図１を参照して説明する。
図１において、回転伝達部５２，５３の外周部にシリコン系ゴム、またはウレタン系ゴム等の弾性体の皮膜が形成される。また、駆動シャフト１００、従動シャフト１１０の外周部の少なくとも前述の回転伝達部５２，５３と接触する部分に上記の弾性体の皮膜が形成される。
また、この弾性体の皮膜は回転伝達部５２，５３、または駆動シャフト１００と従動シャフト１１０のどちらか一方に形成してもよい。
【００７２】
従って、このような実施例５では、回転伝達部５２，５３は駆動シャフト１００，伝達シャフト１１０に接触して回転力が伝達されるので、回転時に騒音が発生することが考えられる他、金属同士の摩擦によっての回転力伝達であるため、接触面が滑ることが考えられる。
本発明では、回転伝達部５２，５３の外周面、または駆動シャフト１００、従動シャフト１１０の外周面のどちらかに弾性体の皮膜が設けられているので、騒音を防止することができる他、接触面が滑って回転容器の回転速度が不安定になることを防止することができる。
【００７３】
なお、本発明は前述の実施例に限定されるものではなく、本発明の目的を達成できる範囲での変形、改良等は本発明に含まれるものである。
例えば、前述の実施例１から実施例５までの衝撃傷実験装置１０の構造、メディア３００の種類、回転容器５０の回転速度などを評価目的、被評価物によって任意に組み合わせることができる。
また、前述の実施例では、眼鏡レンズについて説明したが、他のレンズや、金属製品等の表面の衝撃傷にも応用できることはいうまでもない。
【００７４】
従って、前述の実施例１〜実施例５によれば、ユーザーが使用した時に近い眼鏡レンズ表面に異物が衝突して生じる衝撃傷を再現し、評価する眼鏡レンズの衝撃傷実験装置と、その評価方法を提供することができる。
【図面の簡単な説明】
【００７５】
【図１】本発明の実施例１に係る衝撃傷実験装置の正面図。
【図２】本発明の実施例１に係る衝撃傷実験装置の部分側面図。
【図３】本発明の実施例１に係る実験結果を示すグラフ。
【図４】本発明の実施例２に係る衝撃傷実験装置の部分断面図。
【図５】本発明の実施例３に係る衝撃傷実験装置の概略正面図。
【符号の説明】
【００７６】
５０…回転容器、５１…筒部、５２，５３…回転伝達部、７０…容器蓋、１３０…駆動モータ、１００…駆動シャフト、１１０…従動シャフト、２００…眼鏡レンズ、３００…メディア。
【図１】
2005181533.tif 000005
【図２】
2005181533.tif 000006
【図３】
2005181533.tif 000007
【図４】
2005181533.tif 000008
【図５】
2005181533.tif 000009